(57)【要約】【課題】情報コードを利用した管理対象の管理に関する信頼性を向上させ得る構成を提供する。【解決手段】情報端末２０において、撮像部２２にて撮像されて読み取られたコード識別情報がＧＰＳ受信部２７により取得された読取位置情報等とともにサーバ３０に送信される。そして、サーバ３０では、情報端末２０から受信したコード識別情報が管理対象Ｔに付された情報コードＣの情報であるか否かについて、当該コード識別情報とともに受信した読取位置情報及び読取時刻と記憶部３２に記憶される管理情報とに基づいて判定されて、その判定結果が情報端末２０に送信される。そして、情報端末２０では、サーバ３０から受信した判定結果に関する情報が表示部２５等の報知手段により報知される。【選択図】図１
2018036680.tif 000002
【特許請求の範囲】
【請求項１】
管理対象に付された情報コードを読み取る情報端末と、前記情報端末と通信可能なサーバと、を備える管理システムであって、
前記情報コードには、前記管理対象を特定するコード識別情報が記録され、
前記情報端末は、
前記情報コードを含めた表示情報を光学的に読み取る読取手段と、
当該情報端末の位置情報を取得する位置情報取得手段と、
前記読取手段により前記コード識別情報が読み取られると、前記位置情報取得手段により取得した位置情報を読取位置情報として当該コード識別情報とともに前記サーバに送信する端末側送信手段と、
所定の情報を報知する報知手段と、
を備え、
前記サーバは、
前記管理対象に関する管理情報が記憶される記憶手段と、
前記情報端末から受信した前記コード識別情報が前記管理対象に付された情報コードの情報であるか否かについて、当該コード識別情報とともに受信した前記読取位置情報及び前記コード識別情報が読み取られたとみなされる読取時刻と前記記憶手段に記憶される前記管理情報とに基づいて判定する判定手段と、
前記判定手段による判定結果を前記情報端末に送信するサーバ側送信手段と、
を備え、
前記報知手段は、前記サーバから受信した前記判定結果に関する情報を報知することを特徴とする管理システム。
【請求項２】
前記記憶手段には、前記コード識別情報に関して前回受信した際の前記読取位置情報及び前記読取時刻が当該コード識別情報に関連付けられて前記管理情報の一部として記憶され、
前記判定手段は、前記情報端末から受信した前記コード識別情報が前記管理対象に付された情報コードの情報であるか否かについて、当該コード識別情報とともに受信した今回の前記読取位置情報及び前記読取時刻と前記コード識別情報に関連して前記記憶手段に記憶される前回の前記読取位置情報及び前記読取時刻とを比較して、前回の読取位置から今回の読取位置までの移動に要する時間が前回の読取時刻から今回の読取時刻までの経過時間よりも長い場合には、前記コード識別情報が前記管理対象に付された情報コードの情報でないと判定することを特徴とする請求項１に記載の管理システム。
【請求項３】
前記記憶手段には、前記情報端末から受信した前記コード識別情報の受信回数が前記管理情報の一部として記憶され、
前記判定手段は、前記情報端末から受信した前記コード識別情報が前記管理対象に付された情報コードの情報であるか否かについて、当該コード識別情報とともに受信した前記読取位置情報及び前記読取時刻と前記記憶手段に記憶される前記受信回数を含めた前記管理情報とに基づいて判定することを特徴とする請求項１または２に記載の管理システム。
【請求項４】
管理対象に付された情報コードを読み取る情報端末と、前記情報端末と通信可能なサーバと、を備える管理システムであって、
前記情報コードには、前記管理対象を特定するコード識別情報が記録され、
前記情報端末は、
前記情報コードを含めた表示情報を光学的に読み取る読取手段と、
前記読取手段により読み取った前記コード識別情報を前記サーバに送信する端末側送信手段と、
所定の情報を報知する報知手段と、
を備え、
前記サーバは、
前記情報端末から受信した前記コード識別情報の受信回数を含めた前記管理対象に関する管理情報が記憶される記憶手段と、
前記情報端末から受信した前記コード識別情報が前記管理対象に付された情報コードの情報であるか否かについて、当該コード識別情報に関して前記記憶手段に記憶される前記受信回数を含めた前記管理情報に基づいて判定する判定手段と、
前記判定手段による判定結果を前記情報端末に送信するサーバ側送信手段と、
を備え、
前記報知手段は、前記サーバから受信した前記判定結果に関する情報を報知することを特徴とする管理システム。
【請求項５】
前記端末側送信手段は、前記コード識別情報の送信時に、さらに当該情報端末を特定するための端末識別情報を前記サーバに送信し、
前記記憶手段には、前記情報端末から受信した前記コード識別情報及び前記端末識別情報に基づいて、同じ前記コード識別情報を読み取った前記情報端末の端末数が当該コード識別情報に関連付けられて前記管理情報の一部として記憶され、
前記判定手段は、前記情報端末から受信した前記コード識別情報が前記管理対象に付された情報コードの情報であるか否かについて、当該コード識別情報に関して前記記憶手段に記憶される前記端末数が所定数を超える場合には、前記コード識別情報が前記管理対象に付された情報コードの情報でないと判定することを特徴とする請求項１〜４のいずれか一項に記載の管理システム。
【請求項６】
前記管理対象には、前記コード識別情報と異なる管理用識別情報が用意され、
前記端末側送信手段は、前記コード識別情報の送信時に、前記読取手段により前記管理用識別情報が読み取られていると、さらに当該管理用識別情報と当該情報端末を特定するための端末識別情報とを前記サーバに送信し、前記読取手段により前記管理用識別情報が読み取られていないと、さらに前記端末識別情報を前記サーバに送信し、
前記記憶手段には、前記管理用識別情報が関連付けられていない前記コード識別情報が前記管理用識別情報及び前記端末識別情報とともに受信されることで、当該コード識別情報に対して前記管理用識別情報及び前記端末識別情報が関連付けられて記憶され、
前記判定手段は、前記情報端末から受信した前記コード識別情報が前記管理対象に付された情報コードの情報であるか否かについて、当該コード識別情報に関連付けられて前記管理用識別情報が前記記憶手段に記憶されており、且つ、前記コード識別情報とともに受信した前記端末識別情報が当該コード識別情報に関連付けられて前記記憶手段に記憶されている場合には、前記コード識別情報が前記管理対象に付された情報コードの情報であると判定することを特徴とする請求項１〜５のいずれか一項に記載の管理システム。
【請求項７】
前記情報コードは、所定のコード領域の内部に明色セル及び暗色セルを配列して構成され、前記コード領域の内部に、予め定められた形状の特定パターンが配置される特定パターン領域と、複数の前記明色セル及び前記暗色セルによって前記コード識別情報が記録される情報記録領域と、前記明色セル及び前記暗色セルによって情報が記録されない空き領域とが設けられて形成され、
前記管理用識別情報は、前記空き領域内に配置されることを特徴とする請求項６に記載の管理システム。
【請求項８】
前記管理用識別情報は、前記情報コードとともに印刷されて、剥がされたことが認識可能な被覆部材により覆われることを特徴とする請求項７に記載の管理システム。
【発明の詳細な説明】
【技術分野】
【０００１】
本発明は、情報コードを付した管理対象に関してその情報コードを利用した管理を行う管理システムに関するものである。
【背景技術】
【０００２】
従来、情報コードを付した管理対象に関してその情報コードを利用した管理、例えば、情報コードが付された商品の真贋判定に基づく管理を行う管理システムに関する技術として、例えば、下記特許文献１に開示される真贋判定システムが知られている。この真贋判定システムでは、条件等色を用いてカラー印刷されるべき識別コードの撮像により取得されたマルチバンド画像のそれぞれから、条件等色の関係にある２色がそれぞれ印刷されるべき第１エリアの画素値と第２エリアの画素値とがバンドごとに特定される。そして、第１エリアの色の学習データと第１エリアのバンドごとの画素値とを用いて第１エリアの分光反射スペクトルが推定されるとともに、第２エリアの色の学習データと第２エリアのバンドごとの画素値とを用いて第２エリアの分光反射スペクトルが推定される。このように推定される第１エリアの分光反射スペクトルと第２エリアの分光反射スペクトルとを用いて、識別コードの真贋が判定される。このように条件等色を用いて真贋判定を行うことで、安価でありながら比較的堅牢なシステムの構築を図っている。
【０００３】
また、下記特許文献２に開示される偽造判定システムでは、個体識別情報読取装置を用いて錠剤に刻印等される情報コードから読み取った個体識別情報と薬剤識別サーバ装置に記憶される個体識別情報とが一致するか否かに基づいて、その錠剤が偽造品であるか否かを判定している。
【先行技術文献】
【特許文献】
【０００４】
【特許文献１】特開２０１２−１４１７２９号公報
【特許文献２】特開２００８−２７９０６０号公報
【発明の概要】
【発明が解決しようとする課題】
【０００５】
ところで、付された商品等が正規品であることを示す情報コードが複製されて、その複製された情報コードが付された偽造品が流通していると、その商品等が正規品であるか否かを容易に判断できない場合がある。上述のように生成される情報コードでは、情報コード自体を詳細に分析・解析等することで複製が可能になる場合があり、情報コード単体を複製不可能に生成することは非常に困難であるという問題がある。この問題は、情報コードを利用した商品等の真贋判定に限らず、情報コードを利用した商品等の登録有無の判定等も含めて、情報コードを付した管理対象に関してその情報コードを利用した管理における共通の問題であり、情報コードを利用した管理対象の管理に関する信頼性が損なわれるおそれがある。
【０００６】
本発明は、上述した課題を解決するためになされたものであり、その目的とするところは、情報コードを利用した管理対象の管理に関する信頼性を向上させ得る構成を提供することにある。
【課題を解決するための手段】
【０００７】
上記目的を達成するため、特許請求の範囲の請求項１に記載の発明は、
管理対象（Ｔ）に付された情報コード（Ｃ）を読み取る情報端末（２０）と、前記情報端末と通信可能なサーバ（３０）と、を備える管理システム（１０）であって、
前記情報コードには、前記管理対象を特定するコード識別情報が記録され、
前記情報端末は、
前記情報コードを含めた表示情報を光学的に読み取る読取手段（２１，２２）と、
当該情報端末の位置情報を取得する位置情報取得手段（２７）と、
前記読取手段により前記コード識別情報が読み取られると、前記位置情報取得手段により取得した位置情報を読取位置情報として当該コード識別情報とともに前記サーバに送信する端末側送信手段（２６）と、
所定の情報を報知する報知手段（２５）と、
を備え、
前記サーバは、
前記管理対象に関する管理情報が記憶される記憶手段（３２）と、
前記情報端末から受信した前記コード識別情報が前記管理対象に付された情報コードの情報であるか否かについて、当該コード識別情報とともに受信した前記読取位置情報及び前記コード識別情報が読み取られたとみなされる読取時刻と前記記憶手段に記憶される前記管理情報とに基づいて判定する判定手段（３１）と、
前記判定手段による判定結果を前記情報端末に送信するサーバ側送信手段（３３）と、
を備え、
前記報知手段は、前記サーバから受信した前記判定結果に関する情報を報知することを特徴とする。
なお、上記各括弧内の符号は、後述する実施形態に記載の具体的手段との対応関係を示すものである。
【発明の効果】
【０００８】
請求項１の発明では、情報端末において、読取手段により読み取られたコード識別情報が位置情報取得手段により取得された読取位置情報とともにサーバに送信される。そして、サーバでは、情報端末から受信したコード識別情報が管理対象に付された情報コードの情報であるか否かについて、当該コード識別情報とともに受信した読取位置情報及び読取時刻と記憶手段に記憶される管理情報とに基づいて判定手段により判定されて、その判定結果が情報端末に送信される。そして、情報端末では、サーバから受信した判定結果に関する情報が報知手段により報知される。
【０００９】
これにより、サーバでは、情報コードを読み取った位置及び時刻を考慮して上記判定がなされるので、同じコード識別情報が明らかに異なる場所で同時期に読み取られている場合には、そのコード識別情報が管理対象に付された情報コードの情報でない可能性を報知できる。すなわち、偽造等された情報コードを読み取っている可能性を、情報端末のユーザ等に対して報知でき、情報コードを利用した管理対象の管理に関する信頼性を向上させることができる。
【００１０】
請求項２の発明では、情報端末から受信したコード識別情報が管理対象に付された情報コードの情報であるか否かについて、当該コード識別情報とともに受信した今回の読取位置情報及び読取時刻とコード識別情報に関連して記憶手段に記憶される前回の読取位置情報及び読取時刻とを比較して、前回の読取位置から今回の読取位置までの移動に要する時間が前回の読取時刻から今回の読取時刻までの経過時間よりも長い場合には、コード識別情報が管理対象に付された情報コードの情報でないと判定手段により判定される。
【００１１】
このように、前回の読取位置から今回の読取位置までの移動に要する時間が前回の読取時刻から今回の読取時刻までの経過時間よりも長い場合には、管理対象ではない情報コードを読み取っている可能性が高い。このため、このような場合には、コード識別情報が管理対象に付された情報コードの情報でないとの判定結果、すなわち、偽造等された情報コードを読み取っている可能性を、情報端末のユーザ等に対して報知することができる。
【００１２】
請求項３の発明では、情報端末から受信したコード識別情報が管理対象に付された情報コードの情報であるか否かについて、当該コード識別情報とともに受信した読取位置情報及び読取時刻と記憶手段に記憶される受信回数を含めた管理情報とに基づいて判定手段により判定される。
【００１３】
このように、受信回数をも考慮して上記判定がなされるので、例えば、同じコード識別情報が何度も読み取られている場合には、特定のエリア内での読み取りであっても、大量に偽造された情報コードの読み取り評価作業が推定されて、そのコード識別情報が管理対象に付された情報コードの情報でない可能性を報知できる。これにより、情報コードを利用した管理対象の管理に関する信頼性をさらに向上させることができる。
【００１４】
請求項４の発明では、情報端末において、読取手段により読み取られたコード識別情報がサーバに送信される。そして、サーバでは、情報端末から受信したコード識別情報が管理対象に付された情報コードの情報であるか否かについて、当該コード識別情報に関して記憶手段に記憶される受信回数を含めた管理情報に基づいて判定手段により判定されて、その判定結果が情報端末に送信される。そして、情報端末では、サーバから受信した判定結果に関する情報が報知手段により報知される。
【００１５】
これにより、サーバでは、コード識別情報の受信回数を考慮して上記判定がなされるので、同じコード識別情報が何度も読み取られている場合には、大量に偽造された情報コードの読み取り評価作業が推定されて、そのコード識別情報が管理対象に付された情報コードの情報でない可能性を報知できる。すなわち、偽造等された情報コードを読み取っている可能性を、情報端末のユーザ等に対して報知でき、情報コードを利用した管理対象の管理に関する信頼性を向上させることができる。
【００１６】
請求項５の発明では、記憶手段には、情報端末から受信したコード識別情報及び端末識別情報に基づいて、同じコード識別情報を読み取った情報端末の端末数が当該コード識別情報に関連付けられて管理情報の一部として記憶される。そして、情報端末から受信したコード識別情報が管理対象に付された情報コードの情報であるか否かについて、当該コード識別情報に関して記憶手段に記憶される端末数が所定数を超える場合には、コード識別情報が管理対象に付された情報コードの情報でないと判定手段により判定される。
【００１７】
このように、同じコード識別情報を読み取った情報端末の端末数をも考慮して上記判定がなされるので、例えば、異なる様々な情報端末にて同じコード識別情報が何度も読み取られている場合には、大量に偽造された情報コードの読み取り評価作業が推定されて、そのコード識別情報が管理対象に付された情報コードの情報でない可能性を報知できる。これにより、情報コードを利用した管理対象の管理に関する信頼性をさらに向上させることができる。
【００１８】
請求項６の発明では、コード識別情報の送信時に、読取手段により管理用識別情報が読み取られていると、さらに当該管理用識別情報と端末識別情報とがサーバに送信され、読取手段により管理用識別情報が読み取られていないと、さらに端末識別情報がサーバに送信される。そして、管理用識別情報が関連付けられていないコード識別情報が管理用識別情報及び端末識別情報とともに受信されることで、当該コード識別情報に対して管理用識別情報及び端末識別情報が関連付けられて記憶手段に記憶される。そして、情報端末から受信したコード識別情報が管理対象に付された情報コードの情報であるか否かについて、当該コード識別情報に関連付けられて管理用識別情報が記憶手段に記憶されており、且つ、コード識別情報とともに受信した端末識別情報が当該コード識別情報に関連付けられて記憶手段に記憶されている場合には、コード識別情報が管理対象に付された情報コードの情報であると判定手段により判定される。
【００１９】
これにより、最初に管理用識別情報を読み取ってサーバに送信した情報端末と異なる他の情報端末では、読み取ったコード識別情報が管理対象に付された情報コードの情報であると判定されないため、情報コードを利用した管理対象の管理に関する信頼性をさらに向上させることができる。
【００２０】
請求項７の発明では、情報コードは、コード領域の内部に特定パターン領域、情報記録領域及び空き領域が設けられて形成され、管理用識別情報は、空き領域内に配置される。これにより、情報コードを読み取る際には管理用識別情報も同時に読み取ることができるので、管理用識別情報の読み取りに関して利便性を向上させることができる。
【００２１】
請求項８の発明では、管理用識別情報は、情報コードとともに印刷されて、剥がされたことが認識可能な被覆部材により覆われる。これにより、管理用識別情報及び情報コードの一括印刷による製造コスト低減を図るとともに、管理用識別情報の秘匿性を向上させることができる。
【図面の簡単な説明】
【００２２】
【図１】第１実施形態に係る管理システムの構成を概略的に示す説明図である。
【図２】第１実施形態において情報端末の制御部による読取処理の流れを例示するフローチャートである。
【図３】第１実施形態においてサーバの制御部による真贋判定処理の流れを例示するフローチャートである。
【図４】情報端末の表示部に表示される判定結果の報知内容を説明する説明図であり、図４（Ａ）は、管理対象に付された情報コードを撮像した時に表示される報知内容を示し、図４（Ｂ）は、管理対象と異なる情報コードを撮像した時に表示される報知内容を示す。
【図５】第２実施形態においてサーバの制御部による真贋判定処理の流れを例示するフローチャートである。
【図６】第３実施形態においてサーバの制御部による真贋判定処理の流れを例示するフローチャートである。
【図７】第４実施形態において情報端末の制御部による登録処理の流れを例示するフローチャートである。
【図８】第４実施形態においてサーバの制御部による真贋判定処理の流れを例示するフローチャートである。
【図９】第５実施形態に係る管理システムの要部を説明する説明図であり、図９（Ａ）は、第５実施形態に係る情報コードの構成を示し、図９（Ｂ）は、図９（Ａ）の情報コードの空き領域内に管理用識別情報及びシリアル番号が配置された状態を示す。
【図１０】第５実施形態に係る管理システムの要部を説明する説明図であり、図１０（Ａ）は、図９（Ｂ）の管理用識別情報を被覆部材にて覆った状態を示し、図１０（Ｂ）は、図１０（Ａ）の被覆部材を剥がした状態を示す。
【発明を実施するための形態】
【００２３】
［第１実施形態］
以下、本発明に係る管理システムを具現化した第１実施形態について、図面を参照して説明する。
本実施形態に係る管理システム１０は、情報コードを付した管理対象に関してその情報コードを利用した管理を行うためのシステムである。より具体的には、管理システム１０は、模造品対策が必要な高価な商品等の管理対象に対して情報コードを付し、その情報コードを利用することで、管理対象について真贋判定を行うシステムとして構成されている。
【００２４】
この管理システム１０は、図１に示すように、管理対象Ｔに付された情報コードＣを光学的に読み取る１または２以上の携帯型の情報端末２０と、各情報端末２０と通信可能なサーバ３０とを備えている。情報端末２０及びサーバ３０は、インターネット等のネットワークＮを介して通信可能に構成されている。なお、図１では、便宜上、１つの情報端末２０を図示しており、他の情報端末２０の図示を省略している。
【００２５】
まず、管理システム１０により利用される情報コードＣについて説明する。
本実施形態に係る情報コードＣは、付された商品等が管理対象Ｔであることを示すマークとして機能するものであり、通常、正規品でない商品等の非管理対象に付されることはない。情報コードＣは、当該情報コードＣが付される商品等の管理対象Ｔを特定するためのコード識別情報が記録されて生成されるもので、色彩又は濃度又は輝度の異なる複数種類のセルが配列されて構成されている。具体的には、本実施形態では、情報コードＣとして、例えば、明色セルと暗色セルの２種類のセルが配列されてなるＱＲコード（登録商標）が採用されている。
【００２６】
この情報コードＣは、後述する所定のアプリケーションプログラムを実行した情報端末２０を用いることで読み取り可能となるように暗号化され、一般の読取装置では読み取りできないように生成されている。
【００２７】
次に、情報端末２０の構成について説明する。
情報端末２０は、後述するような真贋判定結果等の通知を所望するユーザによって所持される端末で、カメラ機能を有するスマートフォン等の携帯端末に対して管理システム１０の運営会社等が提供する所定のアプリケーションプログラムをインストールすることで構成される。
【００２８】
この情報端末２０は、受光センサ（例えば、Ｃ−ＭＯＳエリアセンサ、ＣＣＤエリアセンサ等）を備えたカメラとして構成される撮像部２２からの画素信号に基づいて撮像された画像データを処理する制御部２１を備えている。制御部２１は、マイコンを主体として構成されるものであり、ＣＰＵ、システムバス、入出力インタフェース等を有し、記憶部２３とともに情報処理装置として機能している。記憶部２３は、ＲＯＭ、ＲＡＭ、不揮発性メモリなどの公知の半導体メモリなどによって構成されており、この記憶部２３には、上記所定のアプリケーションプログラム等が、制御部２１により実行可能に格納される。
【００２９】
また、情報端末２０は、操作部２４と、表示部２５と、通信部２６と、を備えている。操作部２４は、各種キーやタッチパネル等により構成されており、制御部２１に対して当該操作部２４の操作に応じた情報を入力する機能を有するものである。表示部２５は、液晶等から構成されており、制御部２１により制御されて、情報コードの撮像により得られた情報やサーバ３０から得られた判定結果等の所定の情報を表示してユーザ等に報知する機能を有するものである。通信部２６は、制御部２１により制御されて、上記ネットワークＮを介してサーバ３０等と無線通信を行う通信手段であって、特に、所定の情報をサーバ３０に送信する端末側送信手段として機能を有するものである。
【００３０】
また、情報端末２０は、ＧＰＳ受信部２７を備えており、このＧＰＳ受信部２７は、周知のＧＰＳ衛星から受信した信号を、当該情報端末２０の現在位置を特定するための位置情報として制御部２１に出力するように構成されている。なお、ＧＰＳ受信部２７は、「位置情報取得手段」の一例に相当し得る。
【００３１】
このように構成される情報端末２０は、情報コードや文字情報等の表示情報を撮像部２２により撮像し、制御部２１によりなされる公知のデコード処理や記号認識処理機能（ＯＣＲ）を利用することで、その表示情報を光学的に読み取るように機能する。後述するように、撮像部２２により情報コードＣが撮像されることでその撮像画像に対して制御部２１によるデコード処理がなされる場合には、その情報コードＣに記録されたコード識別情報等が読み取られることとなる。なお、制御部２１及び撮像部２２は、「読取手段」の一例に相当し得る。
【００３２】
特に、情報端末２０では、制御部２１により上記所定のアプリケーションプログラムが実行されることで読取処理がなされる。この読取処理では、情報コードＣから読み取ったコード識別情報等がサーバ３０に送信され、この送信に応じてサーバ３０から受信した情報に基づいて、その情報コードＣが付された管理対象Ｔの真贋判定結果が報知される。この読取処理の詳細な説明については後述する。
【００３３】
次に、サーバ３０の構成について説明する。
サーバ３０は、情報端末２０から受信した情報に基づいて、この情報端末２０にて撮像した情報コードが管理対象Ｔに付された情報コードＣであるか否かについて真贋判定等を行い、この判定結果を情報端末２０に送信するコンピュータとして構成されるものである。具体的には、サーバ３０は、情報端末２０から受信したコード識別情報が管理対象Ｔに付された情報コードＣの情報であると判定すると、判定結果として肯定判定情報を情報端末２０に対して送信する。また、サーバ３０は、情報端末２０から受信したコード識別情報が管理対象Ｔに付された情報コードＣの情報でないと判定すると、判定結果として否定判定情報を情報端末２０に対して送信する。
【００３４】
このサーバ３０は、主に、記憶部３２及び通信部３３と、これらを統括的に制御する制御部３１とを備えている。制御部３１は、マイコンを主体として構成されるものであり、ＣＰＵ、システムバス、入出力インタフェース等を有し、記憶部３２とともに情報処理装置として機能している。記憶部３２は、ＲＯＭ、ＲＡＭ、不揮発性メモリなどの公知の半導体メモリなどによって構成されている。この記憶部３２には、情報端末２０から受信した情報に基づく真贋判定処理等を実行するためのアプリケーションプログラムや所定のデータベース等が、制御部３１により利用可能に予め格納されている。通信部３３は、制御部３１により制御されて、上記ネットワークＮを介して、各情報端末２０や他の外部機器と通信を行う機能を有するものである。
【００３５】
特に、本実施形態では、記憶部３２には、情報端末２０にて撮像した情報コードＣが付された管理対象Ｔについて真贋判定処理を行うためのデータベースが構築されている。このデータベースでは、コード識別情報ごとに前回読み取られた読取位置情報とその読取時刻とを含めた情報が管理対象Ｔに関する管理情報の少なくとも一部として記憶されている。最初は、管理対象Ｔの出荷時にその情報コードＣのコード識別情報に関して、製造場所や出荷時刻等に応じて読取位置情報や読取時刻がデータベースに書き込まれる。そして、情報端末２０から受信したコード識別情報が管理対象Ｔに付された情報コードＣの情報であると判定されると、そのコード識別情報とともに受信した読取位置情報とその読取時刻とが当該コード識別情報に関して上書きされるようにデータベースが更新される。なお、記憶部３２は、「記憶手段」の一例に相当し得る。
【００３６】
次に、このように構成される管理システム１０において、情報コードＣを利用することで管理対象Ｔについて真贋判定を行う際に情報端末２０及びサーバ３０にてなされる処理について、図２及び図３を用いて詳述する。
【００３７】
まず、ユーザが所持する情報端末２０の制御部２１にて上記所定のアプリケーションプログラムが実行されることでなされる読取処理について、図２に示すフローチャートを用いて詳細に説明する。
情報コードＣが付された管理対象Ｔの真贋判定結果を知りたいユーザにより操作部２４に対する所定のキー操作がなされて、制御部２１により上記所定のアプリケーションプログラムが実行されることで、読取処理が開始される。そして、撮像部２２のカメラを情報コードＣに向けた状態で撮像用の操作がなされると、図２のステップＳ１０１に示す撮像処理がなされ、撮像部２２により情報コードＣが撮像される。続いて、ステップＳ１０３に示す解読処理がなされ、撮像部２２にて撮像された情報コードＣのコード画像に対して、上記所定のアプリケーションプログラムに組み込まれた上記暗号化を解除するための情報等を利用してデコード処理が実施される。
【００３８】
この処理によりコード識別情報が解読（デコード）されると（Ｓ１０５でＹｅｓ）、ステップＳ１０７に示す送信処理にて、解読されたコード識別情報と、ＧＰＳ受信部２７により取得した現在の位置情報（以下、読取位置情報ともいう）と、情報コードＣを読み取った時刻（以下、読取時刻ともいう）とを含めた情報が通信部２６等を介してサーバ３０に送信される。一方、情報コードＣの解読が失敗すると、ステップＳ１０５にてＮｏと判定されて、上記ステップＳ１０１からの処理がなされる。
【００３９】
上述のような送信に応じて後述するようにサーバ３０から判定結果を通信部２６等を介して受信すると（Ｓ１０９でＹｅｓ）、ステップＳ１１１に示す報知処理がなされる。この処理では、受信した判定結果に関する情報が表示部２５により表示されてユーザ等に対して報知される。
【００４０】
具体的には、上述した肯定判定情報をサーバ３０から受信すると、図４（Ａ）に例示するように、「登録品です」との文字情報が表示部２５に表示されて報知される。これにより、情報端末２０のユーザは、撮像した情報コードＣを付した商品等が、登録された正規の管理対象であることを認識することができる。なお、肯定判定情報を受信した場合には、例えば、「正規品です」との文字情報など、使用環境等に適した情報を表示して報知してもよい。さらに、肯定判定情報には、ユーザに対して報知したい情報、例えば、キャンペーン応募に関する情報等が含まれることで、その情報が表示部２５に表示されて報知されてもよい。
【００４１】
一方、上述した否定判定情報をサーバ３０から受信すると、図４（Ｂ）に例示するように、例えば、「未登録品です」との文字情報が表示部２５に表示されて報知される。これにより、情報端末２０のユーザは、撮像した情報コードＣを付した商品等が、登録されていない非正規の偽造品等の可能性があることを認識することができる。なお、否定判定情報を受信した場合には、例えば、「警告」や「偽造品の可能性が有ります」との文字情報など、使用環境等に適した情報を表示して報知してもよい。
【００４２】
また、上記報知処理では、表示部２５による表示だけでなく、図略の発光部の点灯・点滅やバイブレータの振動、ブザーのビープ音等を用いて報知してもよい。なお、表示部２５、発光部、バイブレータ及びブザーは、「報知手段」の一例に相当し得る。
【００４３】
次に、サーバ３０の制御部３１による真贋判定処理について、図３に示すフローチャートを用いて詳細に説明する。
サーバ３０では、情報端末２０からの情報を受信するための処理が行われており、情報端末２０からコード識別情報、読取位置情報及び読取時刻等を通信部３３を介して受信すると（図３のステップＳ２０１でＹｅｓ）、ステップＳ２０３に示す読出処理がなされる。この処理では、受信したコード識別情報に関連して記憶部３２に管理情報として記憶される読取位置情報及び読取時刻を前回の読取位置情報及び読取時刻としてデータベースから読み出すための処理がなされる。
【００４４】
続いて、ステップＳ２０５に示す判定処理にて、受信したコード識別情報が管理対象Ｔに付された情報コードＣの情報であるか否かについて、当該コード識別情報とともに受信した今回の読取位置情報及び読取時刻と、上述のようにデータベースから読み出された前回の読取位置情報及び読取時刻とに基づいて判定される。具体的には、今回の読取位置情報及び読取時刻と前回の読取位置情報及び読取時刻とを比較して、前回の読取位置から今回の読取位置までの移動に要する時間ｔａが前回の読取時刻から今回の読取時刻までの経過時間ｔｂよりも長いか否かについて判定する。すなわち、前回の読取位置から今回の読取位置までの移動に要する時間（例えば、徒歩レベルの移動でかかる時間）ｔａが前回の読取時刻から今回の読取時刻までの経過時間ｔｂ以下である場合には、前回と同じ場所にある管理対象Ｔの情報コードＣを読んでいるか、移動された管理対象Ｔの情報コードＣを読んでいるとして、管理対象Ｔに付された情報コードＣの情報であると判定することができる。一方、前回の読取位置から今回の読取位置までの移動に要する時間ｔａが前回の読取時刻から今回の読取時刻までの経過時間ｔｂよりも長い場合、例えば、同じコード識別情報が明らかに異なる場所で同時期に読み取られている場合や、より具体的には前回国内で読み取られていたコード識別情報が前回から多少時間（例えば半日）が経過しただけで国外で読み取られた場合には、管理対象Ｔと異なる非管理対象に付される偽造等された情報コードを読み取っていると判定することができる。
【００４５】
ここで、前回の読取位置から今回の読取位置までの移動に要する時間ｔａが前回の読取時刻から今回の読取時刻までの経過時間ｔｂ以下と判定されたことから（Ｓ２０５でＮｏ）、受信したコード識別情報が管理対象Ｔに付された情報コードＣの情報であると判定されると、ステップＳ２０７に示す第１通知処理がなされる。この処理では、上述した肯定判定情報が通信部３３を介して情報端末２０に対して送信されて通知される。続いて、ステップＳ２０９に示す更新処理がなされ、上記ステップＳ２０１にて受信した読取位置情報及び読取時刻が当該コード識別情報に関して上書きされるように記憶部３２のデータベースが更新される。すなわち、記憶部３２には、コード識別情報に関して前回受信した際の読取位置情報及び読取時刻が当該コード識別情報に関連付けられて管理情報の一部として記憶されていることになる。
【００４６】
一方、前回の読取位置から今回の読取位置までの移動に要する時間ｔａが前回の読取時刻から今回の読取時刻までの経過時間ｔｂよりも長いと判定されたことから（Ｓ２０５でＹｅｓ）、受信したコード識別情報が管理対象Ｔに付された情報コードＣの情報でないと判定されると、ステップＳ２１１に示す第２通知処理がなされる。この処理では、上述した否定判定情報が通信部３３を介して情報端末２０に対して送信されて通知される。
【００４７】
なお、受信したコード識別情報について読取位置情報や読取時刻がデータベースに書き込まれていない場合には、出荷されていない管理対象Ｔの情報コードＣのものであるとして、上述した否定判定情報が通信部３３を介して情報端末２０に対して送信されて通知される。
【００４８】
また、サーバ３０では、情報端末２０から読取時刻を受信することに限らず、コード識別情報や読取位置情報を情報端末２０から受信した時刻を読取時刻としてもよい。これにより、情報端末２０では、上記送信処理（Ｓ１０７）において読取時刻の送信が不要となる。なお、上記ステップＳ２０５の判定処理を行う制御部３１は、「判定手段」の一例に相当し、通信部３３は、「サーバ側送信手段」の一例に相当し得る。
【００４９】
以上説明したように、本実施形態に係る管理システム１０では、情報端末２０において、撮像部２２にて撮像されて読み取られたコード識別情報がＧＰＳ受信部２７により取得された読取位置情報等とともにサーバ３０に送信される。そして、サーバ３０では、情報端末２０から受信したコード識別情報が管理対象Ｔに付された情報コードＣの情報であるか否かについて、当該コード識別情報とともに受信した読取位置情報及び読取時刻と記憶部３２に記憶される管理情報（前回の読取位置情報及び読取時刻）とに基づいて判定されて、その判定結果が情報端末２０に送信される。そして、情報端末２０では、サーバ３０から受信した判定結果に関する情報が表示部２５等の報知手段により報知される。
【００５０】
これにより、サーバ３０では、情報コードＣを読み取った位置及び時刻を考慮して上記判定がなされるので、同じコード識別情報が明らかに異なる場所で同時期に読み取られている場合等には、そのコード識別情報が管理対象Ｔに付された情報コードＣの情報でない可能性を報知できる。すなわち、偽造等された情報コードを読み取っている可能性を、情報端末２０のユーザ等に対して報知でき、情報コードＣを利用した管理対象Ｔの管理に関する信頼性を向上させることができる。
【００５１】
特に、情報端末２０から受信したコード識別情報が管理対象Ｔに付された情報コードＣの情報であるか否かについて、当該コード識別情報とともに受信した今回の読取位置情報及び読取時刻と、コード識別情報に関連して記憶部３２に記憶される前回の読取位置情報及び読取時刻とを比較して、前回の読取位置から今回の読取位置までの移動に要する時間ｔａが前回の読取時刻から今回の読取時刻までの経過時間ｔｂよりも長い場合には、コード識別情報が管理対象に付された情報コードの情報でないと判定される（Ｓ２０５でＹｅｓ）。
【００５２】
このように、前回の読取位置から今回の読取位置までの移動に要する時間ｔａが前回の読取時刻から今回の読取時刻までの経過時間ｔｂよりも長い場合には、管理対象ではない情報コードを読み取っている可能性が高い。このため、このような場合には、コード識別情報が管理対象に付された情報コードの情報でないとの判定結果、すなわち、偽造等された情報コードを読み取っている可能性を、情報端末２０のユーザ等に対して報知することができる。
【００５３】
なお、付された商品等が管理対象であることを示す情報コードＣは、貼り付けて使用されるラベル等に対して印刷されることで、管理対象Ｔの製造時に当該管理対象Ｔに付されることに限らず、例えば、出荷時に付されてもよいし出荷後に付されてもよい。このように製造時には管理対象とされなくても、後から管理対象とする場合には、そのときに管理対象Ｔに情報コードＣを付すことで、それ以降本管理システム１０にて管理することができる。
【００５４】
［第２実施形態］
次に、本発明の第２実施形態に係る管理システムについて、図５を参照して説明する。
本第２実施形態に係る管理システム１０は、受信したコード識別情報が管理対象Ｔに付された情報コードＣの情報であるか否かについて、当該コード識別情報の受信回数に基づいて判定する点が、上記第１実施形態に係る管理システムと異なる。したがって、第１実施形態の管理システムと実質的に同一の構成部分には、同一符号を付し、その説明を省略する。
【００５５】
同じコード識別情報が短期間に何度も読み取られている場合には、大量に偽造された情報コードの読み取り評価作業が推定される。そこで、本実施形態では、記憶部３２のデータベースにおいて、コード識別情報ごとにその受信回数Ｎａが管理対象Ｔに関する管理情報の少なくとも一部として記憶されており、サーバ３０における真贋判定処理では、コード識別情報の受信回数Ｎａに基づいて、受信したコード識別情報が管理対象Ｔに付された情報コードＣの情報であるか否かについて判定する。
【００５６】
なお、本実施形態では、上記第１実施形態では必要であった読取位置情報が不要となるため、ＧＰＳ受信部２７を有しない情報端末であっても管理システム１０として管理対象について真贋判定を行うことができる。
【００５７】
以下、このように構成される管理システム１０において、情報コードＣを利用することで管理対象Ｔについて真贋判定を行う際に情報端末２０及びサーバ３０にてなされる処理について、図２及び図５を用いて詳述する。
【００５８】
情報端末２０の読取処理では、コード識別情報が解読（デコード）されると（図２のＳ１０５でＹｅｓ）、ステップＳ１０７に示す送信処理にて、解読されたコード識別情報を含めた情報がサーバ３０に送信される。そして、この送信に応じてサーバ３０から判定結果を受信すると（Ｓ１０９でＹｅｓ）、ステップＳ１１１に示す報知処理がなされて、上記第１実施形態と同様に、受信した判定結果が表示部２５により表示されてユーザ等に対して報知される。
【００５９】
次に、サーバ３０の制御部３１による真贋判定処理について、図５に示すフローチャートを用いて詳細に説明する。
サーバ３０では、情報端末２０からコード識別情報を通信部３３を介して受信すると（図５のステップＳ２０１ａでＹｅｓ）、ステップＳ２０３ａに示す読出処理がなされる。この処理では、受信したコード識別情報に関連して記憶部３２に記憶される受信回数Ｎａをデータベースから読み出すための処理がなされる。
【００６０】
続いて、ステップＳ２０５ａに示す判定処理にて、受信したコード識別情報が管理対象Ｔに付された情報コードＣの情報であるか否かについて、当該コード識別情報に関して上述のようにデータベースから読み出された受信回数Ｎａに基づいて判定される。具体的には、読み出された受信回数Ｎａが所定回数Ｎａｔｈ以下と判定される場合に（Ｓ２０５ａでＮｏ）、受信したコード識別情報が管理対象Ｔに付された情報コードＣの情報であると判定して、ステップＳ２０７に示す第１通知処理がなされる。これにより、上記第１実施形態と同様に、肯定判定情報が情報端末２０に対して送信される。続いて、ステップＳ２０９ａに示す更新処理がなされ、上記ステップＳ２０１ａにて受信したコード識別情報の受信回数Ｎａがインクリメント（Ｎａ＝Ｎａ＋１）されるように記憶部３２のデータベースが更新される。なお、上記所定回数Ｎａｔｈは、使用環境等に応じて任意に設定することができる。
【００６１】
一方、読み出された受信回数Ｎａが所定回数Ｎａｔｈを超えると判定される場合には（Ｓ２０５ａでＹｅｓ）、上述したように大量に偽造された情報コードの読み取り評価作業が推定されて、受信したコード識別情報が管理対象Ｔに付された情報コードＣの情報でないと判定して、ステップＳ２１１に示す第２通知処理がなされる。なお、上記ステップＳ２０５ａの判定処理を行う制御部３１は、「判定手段」の一例に相当し得る。
【００６２】
以上説明したように、本実施形態に係る管理システム１０では、情報端末２０において、撮像部２２にて撮像されて読み取られたコード識別情報がサーバ３０に送信される。そして、サーバ３０では、情報端末２０から受信したコード識別情報が管理対象Ｔに付された情報コードＣの情報であるか否かについて、当該コード識別情報に関して記憶部３２に記憶される受信回数Ｎａに基づいて判定されて、その判定結果が情報端末２０に送信される。そして、情報端末２０では、サーバ３０から受信した判定結果に関する情報が表示部２５等の報知手段により報知される。
【００６３】
これにより、サーバ３０では、コード識別情報の受信回数Ｎａを考慮して上記判定がなされるので、同じコード識別情報が何度も読み取られている場合には、大量に偽造された情報コードの読み取り評価作業が推定されて、そのコード識別情報が管理対象Ｔに付された情報コードの情報でない可能性を報知できる。すなわち、偽造等された情報コードを読み取っている可能性を、情報端末２０のユーザ等に対して報知でき、情報コードＣを利用した管理対象Ｔの管理に関する信頼性を向上させることができる。
【００６４】
なお、サーバ３０の制御部３１にて行われる真贋判定処理では、上述した受信回数Ｎａに加えて、上記第１実施形態にて述べた読取位置情報及び読取時刻をさらに考慮して上記判定を行ってもよい。具体的には、使用環境等に応じて、例えば、ステップＳ２０５及びステップＳ２０５ａにてともにＮｏと判定される場合に上記ステップＳ２０７以降の処理がなされ、ステップＳ２０５又はステップＳ２０５ａにてＹｅｓと判定される場合に上記ステップＳ２１１以降の処理がなされてもよい。また、ステップＳ２０５及びステップＳ２０５ａにてともにＹｅｓと判定される場合に上記ステップＳ２１１以降の処理がなされ、ステップＳ２０５又はステップＳ２０５ａにてＮｏと判定される場合に上記ステップＳ２０７以降の処理がなされてもよい。
【００６５】
これにより、例えば、同じコード識別情報が何度も読み取られている場合には、特定のエリア内での読み取りであっても、大量に偽造された情報コードの読み取り評価作業が推定されて、そのコード識別情報が管理対象に付された情報コードの情報でない可能性を報知できる。これにより、情報コードＣを利用した管理対象Ｔの管理に関する信頼性をさらに向上させることができる。
【００６６】
［第３実施形態］
次に、本発明の第３実施形態に係る管理システムについて、図６を参照して説明する。
本第３実施形態に係る管理システム１０は、受信したコード識別情報が管理対象Ｔに付された情報コードＣの情報であるか否かについて、上述した読取位置情報及び読取時刻と受信回数Ｎａとに加えて、さらに同じコード識別情報を読み取った情報端末の端末数を考慮して判定する点が、上記第２実施形態に係る管理システムと異なる。したがって、第２実施形態の管理システムと実質的に同一の構成部分には、同一符号を付し、その説明を省略する。
【００６７】
異なる様々な情報端末２０にて同じコード識別情報が何度も読み取られている場合には、大量に偽造された情報コードの読み取り評価作業が推定される。そこで、本実施形態では、記憶部３２のデータベースにおいて、同じコード識別情報を読み取った情報端末２０の端末数Ｎｂが当該コード識別情報に関連付けられて管理情報の一部として記憶されており、サーバ３０における真贋判定処理では、さらに記憶部３２に記憶される情報端末２０の端末数Ｎｂに基づいて、受信したコード識別情報が管理対象Ｔに付された情報コードＣの情報であるか否かについて判定する。このため、記憶部３２のデータベースにおいて、端末数Ｎｂは、同じ端末識別情報の情報端末２０にて同じコード識別情報が読み取られる場合にはインクリメントされず、そのコード識別情報及び端末数Ｎｂについて、１又は２以上の端末識別情報が関連付けられることになる。そして、情報端末２０の記憶部２３には、当該情報端末２０を特定するための端末識別情報が記憶されている。
【００６８】
以下、このように構成される管理システム１０において、情報コードＣを利用することで管理対象Ｔについて真贋判定を行う際に情報端末２０及びサーバ３０にてなされる処理について、図２及び図６を用いて詳述する。
【００６９】
情報端末２０の読取処理では、コード識別情報が解読（デコード）されると（Ｓ１０５でＹｅｓ）、図２のステップＳ１０７に示す送信処理にて、解読されたコード識別情報、読取位置情報及び読取時刻に加えて記憶部２３に記憶される端末識別情報を含めた情報がサーバ３０に送信される。そして、この送信に応じてサーバ３０から判定結果を受信すると（Ｓ１０９でＹｅｓ）、ステップＳ１１１に示す報知処理がなされて、上記第１実施形態と同様に、受信した判定結果が表示部２５により表示されてユーザ等に対して報知される。
【００７０】
次に、サーバ３０の制御部３１による真贋判定処理について、図６に示すフローチャートを用いて詳細に説明する。
サーバ３０では、情報端末２０からコード識別情報、読取位置情報、読取時刻及び端末識別情報等を通信部３３を介して受信すると（図６のステップＳ２０１ｂでＹｅｓ）、ステップＳ２０３ａに示す読出処理がなされる。この処理では、受信したコード識別情報に関連して記憶部３２に記憶される読取位置情報、読取時刻、受信回数Ｎａ及び端末数Ｎｂをデータベースから読み出すための処理がなされる。
【００７１】
続いて、ステップＳ２０５に示す判定処理にて、前回の読取位置から今回の読取位置までの移動に要する時間ｔａが前回の読取時刻から今回の読取時刻までの経過時間ｔｂよりも長いと判定されると（Ｓ２０５でＹｅｓ）、受信したコード識別情報が管理対象Ｔに付された情報コードＣの情報でないと判定されて、ステップＳ２１１に示す第２通知処理がなされる。
【００７２】
一方、前回の読取位置から今回の読取位置までの移動に要する時間ｔａが前回の読取時刻から今回の読取時刻までの経過時間ｔｂ以下と判定されると（Ｓ２０５でＮｏ）、ステップＳ２０５ａに示す判定処理にて、読み出された受信回数Ｎａが所定回数Ｎａｔｈ以下と判定される場合に（Ｓ２０５ａでＮｏ）、受信したコード識別情報が管理対象Ｔに付された情報コードＣの情報であると判定して、ステップＳ２０７に示す第１通知処理がなされる。
【００７３】
また、読み出された受信回数Ｎａが所定回数Ｎａｔｈを超えると判定される場合には（Ｓ２０５ａでＹｅｓ）、ステップＳ２０５ｂに示す判定処理にて、読み出された端末数Ｎｂが所定数Ｎｂｔｈを超えるか否かについて判定される。ここで、読み出された端末数Ｎｂが所定数Ｎｂｔｈ以下と判定される場合には（Ｓ２０５ｂでＮｏ）、受信したコード識別情報が管理対象Ｔに付された情報コードＣの情報であると判定して、ステップＳ２０７に示す第１通知処理がなされる。
【００７４】
そして、第１通知処理により、上記第１実施形態と同様に、肯定判定情報が情報端末２０に対して送信された後、ステップＳ２０９ｂに示す更新処理がなされ、上記ステップＳ２０１にて受信したコード識別情報の受信回数Ｎａがインクリメントされる。また、受信した端末識別情報が同じく受信したコード識別情報及び端末数Ｎｂに関連付けられていない場合に限り、端末数Ｎｂがインクリメント（Ｎｂ＝Ｎｂ＋１）されるように記憶部３２のデータベースが更新される。
【００７５】
一方、読み出された端末数Ｎｂが所定数Ｎｂｔｈを超えると判定される場合には（Ｓ２０５ｂでＹｅｓ）、異なる様々な情報端末にて同じコード識別情報が何度も読み取られているとして、大量に偽造された情報コードの読み取り評価作業が推定されて、受信したコード識別情報が管理対象Ｔに付された情報コードＣの情報でないと判定される。この場合には、ステップＳ２１１に示す第２通知処理がなされる。なお、上記所定数Ｎｂｔｈは、使用環境等に応じて任意に設定することができる。また、上記ステップＳ２０５ｂの判定処理を行う制御部３１は、「判定手段」の一例に相当し得る。
【００７６】
以上説明したように、本実施形態に係る管理システム１０では、記憶部３２には、情報端末２０から受信したコード識別情報及び端末識別情報に基づいて、同じコード識別情報を読み取った情報端末２０の端末数Ｎｂが当該コード識別情報に関連付けられて管理情報の一部として記憶される。そして、情報端末２０から受信したコード識別情報が管理対象Ｔに付された情報コードＣの情報であるか否かについて、当該コード識別情報に関して記憶部３２に記憶される端末数Ｎｂが所定数Ｎｂｔｈを超える場合には、コード識別情報が管理対象に付された情報コードの情報でないと判定される。
【００７７】
このように、同じコード識別情報を読み取った情報端末２０の端末数Ｎｂをも考慮して上記判定がなされるので、例えば、異なる様々な情報端末２０にて同じコード識別情報が何度も読み取られている場合には、大量に偽造された情報コードの読み取り評価作業が推定されて、そのコード識別情報が管理対象に付された情報コードの情報でない可能性を報知できる。これにより、情報コードＣを利用した管理対象Ｔの管理に関する信頼性をさらに向上させることができる。
【００７８】
なお、サーバ３０の制御部３１にて行われる真贋判定処理では、受信回数Ｎａを考慮することなく、読取位置情報及び読取時刻と端末数Ｎｂとに基づいて上記判定を行ってもよい。具体的には、使用環境等に応じて、例えば、ステップＳ２０５及びステップＳ２０５ｂにてともにＮｏと判定される場合に上記ステップＳ２０７以降の処理がなされ、ステップＳ２０５又はステップＳ２０５ｂにてＹｅｓと判定される場合に上記ステップＳ２１１以降の処理がなされてもよい。また、ステップＳ２０５及びステップＳ２０５ｂにてともにＹｅｓと判定される場合に上記ステップＳ２１１以降の処理がなされ、ステップＳ２０５又はステップＳ２０５ｂにてＮｏと判定される場合に上記ステップＳ２０７以降の処理がなされてもよい。
【００７９】
また、サーバ３０の制御部３１にて行われる真贋判定処理では、読取位置情報及び読取時刻を考慮することなく、受信回数Ｎａと端末数Ｎｂとに基づいて上記判定を行ってもよい。具体的には、使用環境等に応じて、例えば、ステップＳ２０５ａ及びステップＳ２０５ｂにてともにＮｏと判定される場合に上記ステップＳ２０７以降の処理がなされ、ステップＳ２０５ａ又はステップＳ２０５ｂにてＹｅｓと判定される場合に上記ステップＳ２１１以降の処理がなされてもよい。また、ステップＳ２０５ａ及びステップＳ２０５ｂにてともにＹｅｓと判定される場合に上記ステップＳ２１１以降の処理がなされ、ステップＳ２０５ａ又はステップＳ２０５ｂにてＮｏと判定される場合に上記ステップＳ２０７以降の処理がなされてもよい。
【００８０】
［第４実施形態］
次に、本発明の第４実施形態に係る管理システムについて、図７及び図８を参照して説明する。
本第４実施形態に係る管理システム１０は、受信したコード識別情報が管理対象Ｔに付された情報コードＣの情報であるか否かについて、情報端末２０を特定するための端末識別情報や別途用意される管理用識別情報を考慮して判定する点が、上記第１実施形態に係る管理システムと異なる。したがって、第１実施形態の管理システムと実質的に同一の構成部分には、同一符号を付し、その説明を省略する。
【００８１】
本実施形態では、各管理対象Ｔにはコード識別情報と異なる管理用識別情報がそれぞれ用意されており、管理対象Ｔとなる商品等をユーザが購入した際にユーザが所持する情報端末２０にて管理用識別情報を登録することで、ユーザの情報端末２０と異なる情報端末では、上記報知処理にて「登録品です」等の表示がなされないようになっている。なお、管理用識別情報は、例えば、購入者以外が確認できないように封入されたシリアル番号であって、封入用の用紙等に印刷されて管理対象Ｔに添付されている。また、情報端末２０の記憶部２３には、当該情報端末２０を特定するための端末識別情報が記憶されている。
【００８２】
以下、このように構成される管理システム１０において、情報コードＣを利用することで管理対象Ｔについて真贋判定を行う際に情報端末２０及びサーバ３０にてなされる処理について、図７及び図８を用いて詳述する。
【００８３】
まず、管理用識別情報を登録するため、ユーザが所持する情報端末２０の制御部２１にてなされる登録処理について、図７に示すフローチャートを用いて詳細に説明する。
管理対象Ｔとなる商品等を購入するユーザにより操作部２４に対する所定のキー操作がなされて、制御部２１により登録用のアプリケーションプログラムが実行されることで、登録処理が開始される。そして、撮像部２２のカメラを管理対象Ｔの情報コードＣに向けた状態で撮像用の操作がなされると、図７のステップＳ３０１に示す撮像処理がなされ、撮像部２２により情報コードＣが撮像される。続いて、ステップＳ３０３に示す解読処理がなされ、撮像部２２にて撮像された情報コードＣのコード画像に対して、上記登録用のアプリケーションプログラムに組み込まれた上記暗号化を解除するための情報等を利用してデコード処理が実施される。
【００８４】
この処理によりコード識別情報が解読（デコード）されると（Ｓ３０５でＹｅｓ）、ステップＳ３０７にて管理用識別情報を読み取るための処理がなされる。この処理では、購入者であるユーザによる操作部２４の操作に応じて管理用識別情報（シリアル番号）が撮像されることで、記号認識処理機能（ＯＣＲ）を利用して管理用識別情報が光学的に読み取られる。なお、上記ステップＳ３０７の処理では、例えば、操作部２４を利用した手入力により管理用識別情報が読み取られてもよい。
【００８５】
このように管理用識別情報が読み取られると、ステップＳ３０９に示す送信処理にて、解読されたコード識別情報と読み取られた管理用識別情報と記憶部２３に記憶される端末識別情報とを含めた情報が、通信部２６等を介してサーバ３０に送信される。一方、情報コードＣの解読が失敗すると、ステップＳ３０５にてＮｏと判定されて、上記ステップＳ３０１からの処理がなされる。
【００８６】
すなわち、情報端末２０は、コード識別情報の送信時に、管理用識別情報が読み取られていると、さらに当該管理用識別情報と端末識別情報とを含めた情報をサーバ３０に送信する。これらの情報を情報端末２０から受信したサーバ３０は、受信した管理用識別情報及び端末識別情報をコード識別情報に関連付けてデータベースに登録する。
【００８７】
なお、情報端末２０により読取処理がなされる場合には、解読されたコード識別情報、読取位置情報及び読取時刻に加えて端末識別情報を含めた情報がサーバ３０に送信され、この送信に応じてサーバ３０から受信した情報に基づいて、その情報コードＣが付された管理対象Ｔの真贋判定結果が報知される。
【００８８】
次に、サーバ３０の制御部３１による真贋判定処理について、図８に示すフローチャートを用いて詳細に説明する。
サーバ３０では、情報端末２０からの情報を受信するための処理が行われており、情報端末２０からコード識別情報、読取位置情報、読取時刻及び端末識別情報等を通信部３３を介して受信すると（図８のステップＳ２０１ｃでＹｅｓ）、ステップＳ２０３ｃに示す読出処理がなされる。この処理では、受信したコード識別情報に関連して記憶部３２に記憶される前回の読取位置情報及び読取時刻と管理用識別情報及び端末識別情報とをデータベースから読み出すための処理がなされる。
【００８９】
続いて、ステップＳ２０４に示す判定処理にて、受信したコード識別情報に対して管理用識別情報が登録されているか否かについて判定される。ここで、当該情報端末２０または他の情報端末にて上記登録処理を行うことで管理用識別情報が登録されている場合には（Ｓ２０４でＹｅｓ）、ステップＳ２０４ａに示す判定処理にて、受信した端末識別情報と上述のようにデータベースから読み出された端末識別情報とが同じであるか否かについて判定される。ここで、受信した端末識別情報と読み出された端末識別情報とが同じである場合には（Ｓ２０４ａでＹｅｓ）、管理用識別情報を登録したときに使用した情報端末２０であると判定されて、上記ステップＳ２０７以降の処理がなされる。
【００９０】
一方、受信したコード識別情報に対して管理用識別情報が登録されていない場合には（Ｓ２０４でＮｏ）、以降上記第１実施形態と同様の処理がなされ、上述したステップＳ２０５に示す判定処理がなされ、前回の読取位置から今回の読取位置までの移動に要する時間ｔａが前回の読取時刻から今回の読取時刻までの経過時間ｔｂ以下と判定される場合には（Ｓ２０５でＮｏ）、上記第１実施形態と同様に、上記ステップＳ２０７以降の処理がなされる。
【００９１】
また、ステップＳ２０５に示す判定処理にて、前回の読取位置から今回の読取位置までの移動に要する時間ｔａが前回の読取時刻から今回の読取時刻までの経過時間ｔｂよりも長いと判定される場合（Ｓ２０５でＹｅｓ）、または、ステップＳ２０４ａに示す判定処理にて、受信した端末識別情報と読み出された端末識別情報とが異なると判定される場合には（Ｓ２０４ａでＮｏ）、ステップＳ２１１ａに示す第２通知処理がなされる。
【００９２】
この処理では、コード識別情報等を受信した情報端末２０に対して判定結果として否定判定情報が送信され、さらに、管理用識別情報が登録されている場合にはその管理用識別情報に関連付けられる端末識別情報の情報端末２０に対して所定の情報が送信される。ここで、所定の情報とは、例えば、ユーザが登録した管理対象Ｔに付された情報コードＣと同じ情報コードが読み取られた旨等である。これにより、管理用識別情報を登録したユーザは、その登録時に使用した情報端末２０にて受信した上記所定の情報が表示部２５により表示等されることで、自らが所持等している管理対象Ｔに付された情報コードＣを偽造等された情報コードが他の情報端末２０にて読み取られた可能性が高いことを把握することができる。
【００９３】
なお、ステップＳ２０４にてＮｏと判定される場合には、サーバ３０は、管理用識別情報の登録を促すための情報や登録することによるユーザのメリット等に関する情報を、コード識別情報等を受信した情報端末２０に対して送信してもよい。
【００９４】
以上説明したように、本実施形態に係る管理システム１０では、コード識別情報の送信時に、管理用識別情報が読み取られていると、さらに当該管理用識別情報と端末識別情報とがサーバ３０に送信され、管理用識別情報が読み取られていないと、さらに端末識別情報がサーバ３０に送信される。そして、管理用識別情報が関連付けられていないコード識別情報が管理用識別情報及び端末識別情報とともに受信されることで、当該コード識別情報に対して管理用識別情報及び端末識別情報が関連付けられて記憶部３２に記憶される。そして、情報端末２０から受信したコード識別情報が管理対象Ｔに付された情報コードＣの情報であるか否かについて、当該コード識別情報に関連付けられて管理用識別情報が記憶部３２に記憶されており（Ｓ２０４でＹｅｓ）、且つ、コード識別情報とともに受信した端末識別情報が当該コード識別情報に関連付けられて記憶部３２に記憶されている場合には（Ｓ２０４ａでＹｅｓ）、コード識別情報が管理対象Ｔに付された情報コードＣの情報であると判定される。
【００９５】
これにより、登録のため最初に管理用識別情報を読み取ってサーバ３０に送信した情報端末２０と異なる他の情報端末２０では、読み取ったコード識別情報が管理対象に付された情報コードの情報であると判定されないため、情報コードＣを利用した管理対象Ｔの管理に関する信頼性をさらに向上させることができる。
【００９６】
なお、管理対象Ｔとなる商品等を購入するユーザのみが所持する情報端末２０を用いて管理用識別情報を登録することに限らず、管理対象Ｔとなる商品を管理等するユーザが所持する情報端末２０を用いて管理用識別情報を登録してもよい。
【００９７】
［第５実施形態］
次に、本発明の第５実施形態に係る管理システムについて、図９及び図１０を参照して説明する。
本第５実施形態に係る管理システム１０は、情報コードＣのコード領域の内部に管理用識別情報が配置される点が、上記第４実施形態に係る管理システムと異なる。したがって、第４実施形態の管理システムと実質的に同一の構成部分には、同一符号を付し、その説明を省略する。
【００９８】
本実施形態では、図９（Ａ）に示すように、情報コードＣは、方形状となる所定のコード領域Ｃａの内部に明色セル及び暗色セルを配列して構成され、コード領域Ｃａの内部に、予め定められた形状の特定パターンが配置される特定パターン領域Ｃｂと、複数の明色セル及び暗色セルによってコード識別情報等が記録される情報記録領域Ｃｃと、明色セル及び暗色セルによって情報が記録されない空き領域Ｃｄとが設けられて形成される。なお、特定パターン領域Ｃｂとしては、例えば、位置検出パターンやアライメントパターン、タイミングパターン等が想定される。
【００９９】
そして、図９（Ｂ）に示すように、管理用識別情報Ｆは、シリアル番号Ｓとともに空き領域Ｃｄ内に配置される。このため、本実施形態では、情報コードＣと管理用識別情報Ｆ及びシリアル番号Ｓとを一括してラベルや梱包箱等に印刷することができる。ここで、シリアル番号Ｓは、例えば製造工場や製造ライン等を特定するための情報である。なお、シリアル番号Ｓを情報コードＣが付される商品等の管理対象Ｔを特定するための情報（コード識別情報）とし、情報コードＣに製造工場や製造ライン等を特定するための情報を記録するようにしてもよい。これにより、その製造ライン等では情報コードＣが同じ形状となり、情報コードＣの印刷等に関して作業性の向上や製造コスト低減を図ることができる。
【０１００】
さらに、本実施形態では、管理用識別情報Ｆの秘匿性を向上させるため、図１０（Ａ）に示すように、空き領域Ｃｄ内において管理用識別情報ＦのみがＶＯＩＤシールや封印シール等、剥がされたことが認識可能な被覆部材４０により覆われている。
【０１０１】
このように管理用識別情報Ｆが被覆部材４０により覆われるため、被覆部材４０を剥がさない限り管理用識別情報Ｆが知得されることはなく、被覆部材４０が剥がされたとしても、図１０（Ｂ）に示すように剥がされた跡が残るので、不正に剥がされたことを容易に把握することができる。
【０１０２】
以上説明したように、本実施形態に係る管理システム１０では、情報コードＣは、コード領域Ｃａの内部に特定パターン領域Ｃｂ、情報記録領域Ｃｃ及び空き領域Ｃｄが設けられて形成され、管理用識別情報Ｆは、空き領域Ｃｄ内に配置される。これにより、情報コードＣを撮像して読み取る際には管理用識別情報Ｆも同時に撮像して読み取ることができるので、管理用識別情報Ｆの読み取りに関して利便性を向上させることができる。なお、上記登録処理では、コード識別情報とともに読み取られた管理用識別情報Ｆがサーバ３０に送信される一方で、上記読取処理では、コード識別情報とともに管理用識別情報Ｆが読み取られたとしても、この管理用識別情報Ｆのサーバ３０への送信を不要とすることができる。
【０１０３】
特に、管理用識別情報Ｆは、情報コードＣとともに印刷されて、剥がされたことが認識可能な被覆部材４０により覆われる。これにより、管理用識別情報Ｆ及び情報コードＣの一括印刷による製造コスト低減を図るとともに、管理用識別情報Ｆの秘匿性を向上させることができる。
【０１０４】
なお、本発明は上記各実施形態に限定されるものではなく、例えば、以下のように具体化してもよい。
（１）サーバ３０は、否定判定情報を、情報端末２０に対して送信して報知することに限らず、管理対象Ｔを販売等する管理会社等に対しても送信することで報知してもよい。これにより、管理会社等は、管理対象Ｔの偽造状況等に関する情報を容易に取得することができる。また、サーバ３０は、否定判定情報だけでなく肯定判定情報も含めて判定に利用した情報の少なくとも一部を管理会社等に対しても送信してもよい。
【０１０５】
（２）受信したコード識別情報が管理対象Ｔに付された情報コードＣの情報であるか否かについて判定する判定処理（Ｓ２０５等）では、判定条件等によって肯定判定及び否定判定のいずれか一方に判定することが困難である場合には、判定不能又は判定困難等の情報を情報端末２０に対して送信して報知してもよい。
【０１０６】
（３）情報コードＣは、所定のアプリケーションプログラムを実行した情報端末２０を用いることで読み取り可能となるように暗号化されることに限らず、使用環境等に応じて、暗号化されることなく一般の読取装置でも読み取り可能となるように生成されてもよい。
【０１０７】
（４）情報端末２０は、ＧＰＳ受信部２７を利用して位置情報を取得することに限らず、例えば、無線通信等を用いて当該情報端末２０の位置を特定する他の位置情報取得手段を利用して位置情報を取得してもよい。
【符号の説明】
【０１０８】
１０…管理システム
２０…情報端末
２１…制御部（読取手段）
２２…撮像部（読取手段）
２５…表示部（報知手段）
２６…通信部（端末側送信手段）
２７…ＧＰＳ受信部（位置情報取得手段）
３０…サーバ
３１…制御部（判定手段）
３２…記憶部（記憶手段）
３３…通信部（サーバ側送信手段）
４０…被覆部材
Ｃ…情報コード
Ｎａ…受信回数
Ｎｂ…端末数
Ｔ…管理対象
【図１】
2018036680.tif 000003
【図２】
2018036680.tif 000004
【図３】
2018036680.tif 000005
【図４】
2018036680.tif 000006
【図５】
2018036680.tif 000007
【図６】
2018036680.tif 000008
【図７】
2018036680.tif 000009
【図８】
2018036680.tif 000010
【図９】
2018036680.tif 000011
【図１０】
2018036680.tif 000012